(57)【要約】【課題】ユーザに大きな負担をかけることなく立ち寄ることが可能な広告対象地点を対象として広告情報を出力することを可能にした広告情報提供装置及びコンピュータプログラムを提供する。【解決手段】ユーザの周辺にある広告対象地点の広告情報を取得し、ユーザの移動予定経路沿いに広告対象地点がある場合には、広告対象地点に面する道路から広告対象地点へ進入する際の進入開始地点を限界点として特定し、ユーザが限界点に到達するまでに広告情報を出力することが可能である場合に、ユーザに対して広告情報を出力するように構成する。【選択図】図９
2020165690.tif 000002
【特許請求の範囲】
【請求項１】
広告対象地点の広告情報を取得する広告情報取得手段と、
前記広告対象地点に面する道路から前記広告対象地点へ進入する際の進入開始地点を限界点として特定する第１限界点特定手段と、
ユーザが前記限界点に到達するまでに前記広告情報を出力することが可能である場合に、ユーザに対して前記広告情報を出力する広告情報出力手段と、を有する広告情報提供装置。
【請求項２】
広告対象地点の広告情報を取得する広告情報取得手段と、
ユーザの移動予定経路を取得する移動予定経路取得手段と、
ユーザから前記広告対象地点までの推奨経路と前記移動予定経路が分岐する地点を限界点として特定する第２限界点特定手段と、
ユーザが前記限界点に到達するまでに前記広告情報を出力することが可能である場合に、ユーザに対して前記広告情報を出力する広告情報出力手段と、を有する広告情報提供装置。
【請求項３】
前記広告情報出力手段は、前記広告情報の再生時間を考慮して、ユーザが前記限界点に到達するまでに前記広告情報を出力することが可能か否かを判定する請求項１又は請求項２に記載の広告情報提供装置。
【請求項４】
前記広告情報の再生時間は、前記広告情報の過去の再生履歴に基づいて決定される請求項３に記載の広告情報提供装置。
【請求項５】
前記広告情報出力手段は、ユーザが前記限界点に到達するまでに、前記広告情報を出力することが可能で且つ出力された前記広告情報に基づいてユーザが前記広告対象地点への移動を開始することが可能である場合に、ユーザに対して前記広告情報を出力する請求項１乃至請求項４のいずれかに記載の広告情報提供装置。
【請求項６】
ユーザが前記広告対象地点へ移動を開始することを決定してからユーザが前記広告対象地点への移動を開始するまでに必要な時間である移動準備時間を取得する移動準備時間取得手段を有し、
前記広告情報出力手段は、
前記広告情報の再生時間と前記移動準備時間との合計時間が前記限界点までの所要時間以下である場合に、
ユーザが前記限界点に到達するまでに、前記広告情報を出力することが可能で且つ出力された前記広告情報に基づいてユーザが前記広告対象地点への移動を開始することが可能であると判定する請求項５に記載の広告情報提供装置。
【請求項７】
目的地までの案内経路を取得する案内経路取得手段と、
前記案内経路に従って移動体の移動案内を行う移動案内手段と、を有し、
前記移動準備時間は、ユーザが経由地の追加又は目的地の設定操作を行うのに必要な時間と、変更操作に基づく新たな案内経路の探索に必要な時間と、を含む請求項６に記載の広告情報提供装置。
【請求項８】
ユーザが車両に乗車する場合において、
前記移動準備時間は、前記広告対象地点への移動を開始する為の車線変更に必要な時間を含む請求項６又は請求項７に記載の広告情報提供装置。
【請求項９】
コンピュータを、
広告対象地点の広告情報を取得する広告情報取得手段と、
前記広告対象地点に面する道路から前記広告対象地点へ進入する際の進入開始地点を限界点として特定する第１限界点特定手段と、
ユーザが前記限界点に到達するまでに前記広告情報を出力することが可能である場合に、ユーザに対して前記広告情報を出力する広告情報出力手段と、
して機能させる為のコンピュータプログラム。
【請求項１０】
コンピュータを、
広告対象地点の広告情報を取得する広告情報取得手段と、
ユーザの移動予定経路を取得する移動予定経路取得手段と、
ユーザから前記広告対象地点までの推奨経路と前記移動予定経路が分岐する地点を限界点として特定する第２限界点特定手段と、
ユーザが前記限界点に到達するまでに前記広告情報を出力することが可能である場合に、ユーザに対して前記広告情報を出力する広告情報出力手段と、
して機能させる為のコンピュータプログラム。
【発明の詳細な説明】
【技術分野】
【０００１】
本発明は、地図上に位置する地点に関する広告情報を提供する広告情報提供装置及びコンピュータプログラムに関する。
【背景技術】
【０００２】
近年、車両の走行案内を行い、運転者が所望の目的地に容易に到着できるようにしたナビゲーション装置が車両に搭載されていることが多い。ここで、ナビゲーション装置とは、ＧＰＳ受信機などにより自車の現在位置を検出し、その現在位置に対応する地図データをＤＶＤ−ＲＯＭやＨＤＤなどの記録媒体またはネットワークを通じて取得して液晶モニタに表示することが可能な装置である。更に、かかるナビゲーション装置では、自車の現在位置の周辺や特定のエリア内（例えば走行予定経路周辺）にある地点に関する情報を案内することも行われている。また、近年は携帯電話機、スマートフォン、タブレット型端末、パーソナルコンピュータ等においても上記ナビゲーション装置と同様の機能を有するものがある。
【０００３】
ここで、上記地点に関する情報として、特に該地点に関する広告情報を案内することについても行われていた。広告情報としては、例えば該地点が店舗である場合には店舗名、住所、電話番号、店舗で取り扱う商品、販売価格、イベントに関する情報等がある。特開２００５−３４１５０８号公報には、サーバからナビゲーション装置へと店舗の広告情報を出力条件（地域や日時）とともに配信し、ナビゲーション装置では出力条件を満たした広告情報を対象に出力する技術について記載されている。
【先行技術文献】
【特許文献】
【０００４】
【特許文献１】特開２００５−３４１５０８号公報（第８−９頁）
【発明の概要】
【発明が解決しようとする課題】
【０００５】
ここで、上記特許文献１に記載の技術では、出力条件として広告情報が出力される領域を指定することは可能であったが、広告情報により広告の対象となる地点（以下、広告対象地点という）と広告情報が提供される車両との具体的な位置関係については考慮していなかった。従って、例えば車両が広告対象地点の面する道路を走行する状況で広告情報が出力された場合に、広告情報の出力前或いは出力中に広告対象地点を車両が通り過ぎてしまい、広告情報を視聴したユーザが広告対象地点へ立ち寄るために、来た道を引き返さなければならない状況も生じていた。
【０００６】
本発明は前記従来における問題点を解消するためになされたものであり、ユーザに大きな負担をかけることなく立ち寄ることが可能な広告対象地点を対象として広告情報を出力することを可能にした広告情報提供装置及びコンピュータプログラムを提供することを目的とする。
【課題を解決するための手段】
【０００７】
前記目的を達成するため本発明に係る第１の広告情報提供装置は、広告対象地点の広告情報を取得する広告情報取得手段と、前記広告対象地点に面する道路から前記広告対象地点へ進入する際の進入開始地点を限界点として特定する第１限界点特定手段と、ユーザが前記限界点に到達するまでに前記広告情報を出力することが可能である場合に、ユーザに対して前記広告情報を出力する広告情報出力手段と、を有する。
尚、「広告対象地点」としては施設以外に地図上の特定の場所（観光名所等）、通り、自治体、エリア等も含む。
【０００８】
また、本発明に係る第２の広告情報提供装置は、広告対象地点の広告情報を取得する広告情報取得手段と、ユーザの移動予定経路を取得する移動予定経路取得手段と、ユーザから前記広告対象地点までの推奨経路と前記移動予定経路が分岐する地点を限界点として特定する第２限界点特定手段と、ユーザが前記限界点に到達するまでに前記広告情報を出力することが可能である場合に、ユーザに対して前記広告情報を出力する広告情報出力手段と、を有する。
【０００９】
また、本発明に係る第１のコンピュータプログラムは、ユーザに広告情報の提供を行うプログラムである。具体的には、コンピュータを、広告対象地点の広告情報を取得する広告情報取得手段と、前記広告対象地点に面する道路から前記広告対象地点へ進入する際の進入開始地点を限界点として特定する第１限界点特定手段と、ユーザが前記限界点に到達するまでに前記広告情報を出力することが可能である場合に、ユーザに対して前記広告情報を出力する広告情報出力手段と、して機能させる。
【００１０】
また、本発明に係る第２のコンピュータプログラムは、ユーザに広告情報の提供を行うプログラムである。具体的には、コンピュータを、広告対象地点の広告情報を取得する広告情報取得手段と、ユーザの移動予定経路を取得する移動予定経路取得手段と、ユーザから前記広告対象地点までの推奨経路と前記移動予定経路が分岐する地点を限界点として特定する第２限界点特定手段と、ユーザが前記限界点に到達するまでに前記広告情報を出力することが可能である場合に、ユーザに対して前記広告情報を出力する広告情報出力手段と、して機能させる。
【発明の効果】
【００１１】
前記構成を有する本発明に係る広告情報提供装置及びコンピュータプログラムによれば、ユーザに大きな負担をかけることなく立ち寄ることが可能な広告対象地点を対象として広告情報を出力することが可能となる。その結果、ユーザに対してより効果的な広告情報の出力が可能となり、広告効果について向上させることが可能となる。
【図面の簡単な説明】
【００１２】
【図１】本実施形態に係る広告情報提供システムを示した概略構成図である。
【図２】広告情報ＤＢに記憶される広告情報の一例を示した図である。
【図３】本実施形態に係るナビゲーション装置の制御系を模式的に示すブロック図である。
【図４】本実施形態に係る広告情報提供処理プログラムのフローチャートである。
【図５】移動準備時間の算出方法について説明した図である。
【図６】移動準備時間の算出方法について説明した図である。
【図７】限界点の設定方法について説明した図である。
【図８】限界点の設定方法について説明した図である。
【図９】広告情報の出力態様の一例を示した図である。
【発明を実施するための形態】
【００１３】
以下、本発明に係る広告情報提供装置をナビゲーション装置に具体化した一実施形態に基づき図面を参照しつつ詳細に説明する。先ず、本実施形態に係るナビゲーション装置１を含む広告情報提供システム２の概略構成について図１を用いて説明する。図１は本実施形態に係る広告情報提供システム２を示した概略構成図である。
【００１４】
図１に示すように、本実施形態に係る広告情報提供システム２は、広告情報管理センタ３が有する広告情報サーバ４と、ユーザ５が乗車する車両に搭載されたナビゲーション装置１とを基本的に有している。尚、ナビゲーション装置１は、ナビ機能を備えた通信端末であれば良く、ナビゲーション装置以外に携帯電話機、ＰＤＡ、タブレット型端末、スマートフォン、パーソナルコンピュータ等としても良い。また、広告情報管理センタ３とナビゲーション装置１とは通信ネットワーク網６を介して互いに電子データを送受信可能に構成されている。
【００１５】
ここで、広告情報サーバ４は、全国各地の広告対象となる地点（以下、広告対象地点という）に関する広告情報を広告情報ＤＢ７に記憶する。尚、広告対象地点としては施設以外に地図上の特定の場所（観光名所等）、通り、自治体、エリア等も含む。そして、広告情報サーバ４は通信ネットワーク網６を介してＤＢに記憶された広告情報を、ナビゲーション装置１（ユーザ）に対して提供（配信）する。尚、広告情報サーバ４は広告対象地点毎に存在しても良いし、一のサーバが複数の広告対象地点に関する広告情報を配信するようにしても良い。
【００１６】
また、広告情報としては、ナビゲーション装置１において広告として出力される音声、画像、動画等のデータ（内容としては取り扱う商品、販売価格、イベントに関する情報等）に加えて、広告対象地点（広告主）を特定する為の情報（地図上の広告対象地点の位置座標、ジャンル、ＩＤ等）についても含む。特に以下の実施例では広告としてナビゲーション装置１において動画を再生する場合を例に挙げて説明する。
【００１７】
ここで、図２は広告情報ＤＢ７に記憶されるとともにナビゲーション装置１に対して提供される広告情報の一例を示した図である。図２に示すように、広告情報は、広告対象地点に関する情報である“地点の名称”と、“地点の住所”と、“電話番号”と、地図上の広告対象地点の位置を特定する“位置座標”と、広告としてナビゲーション装置１で再生対象となる動画データである“広告動画”と、広告動画の“再生時間”と、“広告有効期限”とを含む。ここで、“地点の名称”、“地点の住所”、“電話番号”はユーザに提供される広告の内容であるとともに広告対象地点（広告主）を特定する情報にも該当する。また、“広告動画”の代わりに広告画像や音声を格納しても良い。また、“広告有効期限”はナビゲーション装置１への配信対象となる期間を示す。尚、広告情報サーバ４では、他のサーバから取得したり、広告情報サーバ４の管理者による入力操作によって新たな広告情報が順次、広告情報ＤＢ７に格納される。
【００１８】
そして、後述のように広告情報サーバ４は、ナビゲーション装置１の現在位置（即ちユーザ５の現在位置）から所定距離以内、或いは案経路周辺（ナビゲーション装置１において案内経路が設定されている場合のみ）にある広告対象地点の広告情報をナビゲーション装置１へと配信する。尚、広告情報の配信対象となるエリアは広告情報毎に異なるエリアを設定しても良い。そして、広告情報サーバ４から広告情報を受信したナビゲーション装置１は、ナビゲーション装置１の現在位置（即ちユーザ５の現在位置）と広告対象地点の位置とに基づいて、出力された広告情報を視聴したユーザが広告対象地点に立ち寄ることを決めた場合に、ユーザに大きな負担をかけることなく立ち寄ることが可能な広告対象地点のみを対象として広告情報を出力する。詳細については後述する。
【００１９】
一方、ナビゲーション装置１は、目的地までの推奨経路を探索したり、サーバから取得したりメモリに格納された地図データに基づいてユーザ５の現在位置周辺や任意のエリアの地図画像を所定の縮尺で表示したり、表示された地図画像中においてユーザ５の現在位置を表示したり、設定された案内経路に沿った移動案内を行ったり、上述した広告情報をユーザに提供する機能を有する。尚、上記機能の全てをナビゲーション装置１が備えている必要はなく、少なくとも広告情報をユーザに提供する機能を有していれば本願発明を構成することが可能である。
【００２０】
また、通信ネットワーク網６は全国各地に配置された多数の基地局と、各基地局を管理及び制御する通信会社とを含み、基地局及び通信会社を有線（光ファイバー、ＩＳＤＮ等）又は無線で互いに接続することにより構成されている。ここで、基地局はナビゲーション装置１との通信をするトランシーバー（送受信機）とアンテナを有する。そして、基地局は通信会社の間で無線通信を行う一方、通信ネットワーク網６の末端となり、基地局の電波が届く範囲（セル）にあるナビゲーション装置１の通信を広告情報サーバ４との間で中継する役割を持つ。
【００２１】
次に、広告情報提供システム２が有するナビゲーション装置１の概略構成について図３を用いて説明する。図３は本実施形態に係るナビゲーション装置１の制御系を模式的に示すブロック図である。
【００２２】
図３に示すように本実施形態に係るナビゲーション装置１は、ナビゲーション装置１が搭載された車両の現在位置を検出する現在位置検出部１１と、各種のデータが記録されたデータ記録部１２と、入力された情報に基づいて、各種の演算処理を行うナビゲーションＥＣＵ１３と、ユーザからの操作を受け付ける操作部１４と、ユーザに対して車両周辺の地図や施設に関する案内情報を表示する液晶ディスプレイ１５と、経路案内に関する音声ガイダンスを出力するスピーカ１６と、記憶媒体であるＤＶＤを読み取るＤＶＤドライブ１７と、広告情報管理センタ３やＶＩＣＳ（登録商標：Vehicle Information and Communication System）センタ等の情報センタとの間で通信を行う通信モジュール１８と、を有している。
【００２３】
以下に、ナビゲーション装置１が有する各構成要素について順に説明する。
現在位置検出部１１は、ＧＰＳ２１、車速センサ２２、ステアリングセンサ２３、ジャイロセンサ２４等からなり、現在の車両の位置、方位、車両の走行速度、現在時刻等を検出することが可能となっている。ここで、特に車速センサ２２は、車両の移動距離や車速を検出する為のセンサであり、車両の駆動輪の回転に応じてパルスを発生させ、パルス信号をナビゲーションＥＣＵ１３に出力する。そして、ナビゲーションＥＣＵ１３は発生するパルスを計数することにより駆動輪の回転速度や移動距離を算出する。尚、上記４種類のセンサをナビゲーション装置１が全て備える必要はなく、これらの内の１又は複数種類のセンサのみをナビゲーション装置１が備える構成としても良い。
【００２４】
また、データ記録部１２は、外部記憶装置及び記録媒体としてのハードディスク（図示せず）と、ハードディスクに記録された地図情報ＤＢ３１、配信情報ＤＢ３２及び所定のプログラム等を読み出すとともにハードディスクに所定のデータを書き込む為のドライバである記録ヘッド（図示せず）とを備えている。尚、データ記録部１２をハードディスクの代わりにメモリーカードやＣＤやＤＶＤ等の光ディスクを有しても良い。また、ナビゲーション装置１は、地図情報ＤＢ３１を有さずに外部のサーバから地図情報を通信により取得しても良い。
【００２５】
ここで、地図情報ＤＢ３１は、例えば、道路（リンク）に関するリンクデータ、ノード点に関するノードデータ、地点に関する地点データ、地図を表示するための地図表示データ、各交差点に関する交差点データ、経路を探索するための探索データ、地点を検索するための検索データ等が記憶された記憶手段である。
【００２６】
また、配信情報ＤＢ３２は、広告情報サーバ４から配信された広告情報を記憶するＤＢである。そして、ナビゲーションＥＣＵ１３は、配信情報ＤＢ３２に記憶された広告情報を所定のタイミングで液晶ディスプレイ１５に表示したり、スピーカ１６で出力することにより、ユーザに提供する。尚、広告情報を提供するタイミングは、広告情報サーバ４から広告情報を受信した直後としても良いし、ユーザが広告情報を要求したタイミングとしても良い。但し、提供対象となるのは、出力された広告情報を視聴したユーザが広告対象地点に立ち寄ることを決めた場合に、ユーザに大きな負担をかけることなく立ち寄ることが可能な広告対象地点に関する広告情報に限られる。
【００２７】
また、ナビゲーションＥＣＵ（エレクトロニック・コントロール・ユニット）１３は、ナビゲーション装置１の全体の制御を行う電子制御ユニットであり、演算装置及び制御装置としてのＣＰＵ４１、並びにＣＰＵ４１が各種の演算処理を行うにあたってワーキングメモリとして使用されるとともに、経路が探索されたときの経路データ等が記憶されるＲＡＭ４２、制御用のプログラムのほか、後述の広告情報提供処理プログラム（図４）等が記録されたＲＯＭ４３、ＲＯＭ４３から読み出したプログラムを記憶するフラッシュメモリ４４等の内部記憶装置を備えている。尚、ナビゲーションＥＣＵ１３は、処理アルゴリズムとしての各種手段を有する。例えば、広告情報取得手段は、広告対象地点の広告情報を取得する。移動予定経路取得手段は、ユーザの移動予定経路を取得する。第１限界点特定手段は、広告対象地点に面する道路から広告対象地点へ進入する際の進入開始地点を限界点として特定する。第２限界点特定手段は、ユーザから広告対象地点までの推奨経路と移動予定経路が分岐する地点を限界点として特定する。
【００２８】
操作部１４は、走行開始地点としての出発地及び走行終了地点としての目的地を入力する際等に操作され、各種のキー、ボタン等の複数の操作スイッチ（図示せず）を有する。そして、ナビゲーションＥＣＵ１３は、各スイッチの押下等により出力されるスイッチ信号に基づき、対応する各種の動作を実行すべく制御を行う。尚、操作部１４としては液晶ディスプレイ１５の前面に設けたタッチパネルを有する構成としても良い。また、マイクと音声認識装置を有する構成としても良い。
【００２９】
また、液晶ディスプレイ１５には、道路を含む地図画像、交通情報、操作案内、操作メニュー、キーの案内、出発地から目的地までの案内経路、案内経路に沿った案内情報、ニュース、時刻、メール、テレビ番組等が表示される。また、本実施形態では、後述のように広告情報サーバ４から取得した広告情報を案内する際にも用いられる。尚、液晶ディスプレイ１５の代わりに、ＨＵＤやＨＭＤを用いても良い。
【００３０】
また、スピーカ１６は、ナビゲーションＥＣＵ１３からの指示に基づいて走行予定経路に沿った走行を案内する音声ガイダンスや、交通情報の案内を出力する。また、本実施形態では、後述のように広告情報サーバ４から取得した広告情報を案内する際にも用いられる。
【００３１】
また、ＤＶＤドライブ１７は、ＤＶＤやＣＤ等の記録媒体に記録されたデータを読み取り可能なドライブである。そして、読み取ったデータに基づいて音楽や映像の再生、地図情報ＤＢ３１の更新等が行われる。尚、ＤＶＤドライブ１７に替えてメモリーカードを読み書きする為のカードスロットを設けても良い。
【００３２】
また、通信モジュール１８は、交通情報センタ、例えば、ＶＩＣＳセンタやプローブセンタ等から送信された渋滞情報、規制情報、交通事故情報等の各情報から成る交通情報を受信する為の通信装置であり、例えば携帯電話機やＤＣＭが該当する。また、本実施形態では広告情報サーバ４から広告情報を受信するのにも用いられる。
【００３３】
続いて、前記構成を有するナビゲーション装置１においてＣＰＵ４１が実行する広告情報提供処理プログラムについて図４に基づき説明する。図４は本実施形態に係る広告情報提供処理プログラムのフローチャートである。ここで、広告情報提供処理プログラムは、車両のＡＣＣ電源(accessory power supply)がＯＮされた後に一定間隔（例えば２ｓｅｃ毎）で実行され、広告情報サーバ４から配信された広告情報をユーザに提供するプログラムである。尚、以下の図４にフローチャートで示されるプログラムは、ナビゲーション装置１が備えているＲＡＭ４２やＲＯＭ４３に記憶されており、ＣＰＵ４１により実行される。
【００３４】
先ず、広告情報提供処理プログラムではステップ（以下、Ｓと略記する）１において、ＣＰＵ４１は、ＣＰＵ４１は広告情報サーバ４から配信された広告情報を受信する。受信した広告情報は配信情報ＤＢ３２に格納される。尚、広告情報サーバ４から配信対象となるのはナビゲーション装置１の現在位置（即ちユーザ５の現在位置）から所定距離（例えば３ｋｍ）以内、或いは案経路周辺（ナビゲーション装置１において案内経路が設定されている場合のみ）にある広告対象地点の広告情報であって、且つ現在の日時が広告情報に設定されている広告有効期限内の広告情報である。但し、既に広告情報サーバ４から配信され配信情報ＤＢ３２に格納されている広告情報については受信対象から除かれる。
【００３５】
次に、Ｓ２においてＣＰＵ４１は、ユーザの移動予定経路を取得する。尚、ナビゲーション装置１において案内経路が設定されている場合には、該案内経路がユーザの移動予定経路となる。一方、案内経路が設定されていない場合には、ユーザ（車両）の現在位置から道なりに進む経路を移動予定経路として取得する。尚、リンク間の道なりの関係については地図情報に規定されている。
【００３６】
以下のＳ３〜Ｓ１１の処理は現時点で配信情報ＤＢ３２に格納されている広告情報毎に実行され、該当する全ての広告情報を対象としてＳ３〜Ｓ１１の処理が実行された後に、当該広告情報提供処理プログラムを終了する。
【００３７】
Ｓ３においてＣＰＵ４１は、処理対象の広告情報に含まれる広告動画の再生時間Ｘを取得する。尚、広告動画の再生時間Ｘは図２に示すように広告情報に予め含まれているが、広告動画からＣＰＵ４１が算出しても良い。
【００３８】
また、広告動画の再生時間Ｘは、基本的に広告動画をナビゲーション装置１で再生した場合に再生が開始されてから終了するまでに必要な時間であるが、広告情報の過去の再生履歴に基づいて適宜変更することも可能である。例えば、広告動画の開始から終了までの時間は３０ｓｅｃであるが、大半のユーザが広告動画の開始から１０ｓｅｃの時点で再生を終了する場合には、広告動画の再生時間Ｘを３０ｓｅｃではなく１０ｓｅｃとしても良い。
【００３９】
次に、Ｓ４においてＣＰＵ４１は、ユーザが処理対象の広告情報により広告対象となる広告対象地点へ移動を開始することを決定してからユーザが広告対象地点への移動を開始するまでに必要な時間を、移動準備時間Ｙとして算出する。ここで、移動準備時間Ｙはナビゲーション装置１において案内経路が設定されている場合には、基本的に以下の（Ａ）〜（Ｃ）の合計時間とする。
（Ａ）ユーザがナビゲーション装置１の経由地の追加又は目的地の設定操作を行うのに必要な時間
（Ｂ）上記変更操作に基づく新たな案内経路の探索に必要な時間
（Ｃ）広告対象地点への移動を開始する為の車線変更に必要な時間
【００４０】
ここで、（Ａ）は固定値とし、例えば１５ｓｅｃとする。但しユーザの年齢等に応じて変更しても良い。また、（Ｂ）はナビゲーション装置１毎の固有値とする。尚、案内経路の探索はナビゲーション装置１でなく外部のサーバで行うことも可能であり、その場合にはサーバが案内経路の探索を行うのに必要な時間に加えてナビゲーション装置１とサーバとの間の通信に必要な時間についても考慮される。
【００４１】
一方、（Ｃ）は車両の現在の走行車線と処理対象の広告情報により広告対象となる広告対象地点の位置に基づいて決定される。例えば、図５に示すような片側３車線の道路の最も右側の車線をユーザが乗車する車両５１が走行する場合であって、広告対象地点５２が道路に面した位置にある場合には、広告対象地点５２への移動を開始する（即ち、広告対象地点５２への進入を開始する）為の車線変更の数は２回となる。従って、一回当たりの車線変更に必要な時間（例えば５ｓｅｃ）に２を乗じた時間を“広告対象地点への移動を開始する為の車線変更に必要な時間”として算出する。仮に図５に示す状況で最も左側の車線をユーザが乗車する車両５１が走行する場合には、“広告対象地点への移動を開始する為の車線変更に必要な時間”は０となる。
【００４２】
また、図６に示すような片側２車線の道路の左側の車線をユーザが乗車する車両５１が走行する場合であって、広告対象地点５２が交差点５３で右折後の道路に面した位置にある場合には、広告対象地点５２への移動を開始する（即ち、交差点で右折を開始する）為の車線変更の数は１回となる。従って、一回当たりの車線変更に必要な時間（例えば５ｓｅｃ）に１を乗じた時間を“広告対象地点への移動を開始する為の車線変更に必要な時間”として算出する。仮に図６に示す状況で右側の車線をユーザが乗車する車両５１が走行する場合には、“広告対象地点への移動を開始する為の車線変更に必要な時間”は０となる。
【００４３】
続いて、Ｓ５においてＣＰＵ４１は、前記Ｓ２で取得したユーザの移動予定経路と、処理対象の広告情報により広告対象となる広告対象地点の位置とを比較し、ユーザの移動予定経路沿いに広告対象地点があるか否かを判定する。尚、広告対象地点の位置を特定する情報は広告情報に含まれている（図２参照）。
【００４４】
そして、ユーザの移動予定経路沿いに広告対象地点があると判定された場合（Ｓ５：ＹＥＳ）には、Ｓ６へと移行する。それに対して、ユーザ移動予定経路沿いに広告対象地点がないと判定された場合（Ｓ５：ＮＯ）には、Ｓ７へと移行する。
【００４５】
Ｓ６においてＣＰＵ４１は、広告対象地点に面する道路から広告対象地点へ進入する際の進入開始地点を“限界点”として特定する。尚、“限界点”はその地点に到達するまでにユーザが広告対象地点への移動を開始すれば、ユーザに大きな負担（例えばＵターンを行ったり、遠回りのルートを走行させる等）をかけることなく広告対象地点へと立ち寄ることが可能な地点である。具体的には、図７に示すように広告対象地点５２の入り口に対して進行方向に沿って所定距離手前（例えば３ｍ手前）の道路上の地点を限界点として特定する。その後、Ｓ９へと移行する。
【００４６】
一方、Ｓ７においてＣＰＵ４１は、ユーザの現在位置から広告対象地点までの推奨経路を取得する。具体的には、ユーザの現在位置を出発地とし、広告対象地点を目的地として地図情報を用いて推奨経路の探索を行う。推奨経路の探索には例えば公知のダイクストラ法を用い、コスト値の合計が最小となる経路を推奨経路とする。尚、経路探索はナビゲーション装置１でなく外部のサーバで行っても良い。その場合には、出発地と目的地を特定する情報を外部のサーバへと送信し、サーバで探索された推奨経路を取得するようにする。
【００４７】
次にＳ８においてＣＰＵ４１は、前記Ｓ７で取得された広告対象地点までの推奨経路と前記Ｓ２で取得したユーザの移動予定経路が分岐する地点を“限界点”として特定する。具体的には、図８に示すようにユーザの移動予定経路５４が交差点５３を直進する経路であり、広告対象地点５２までの推奨経路５５が交差点を右折する経路である場合には、交差点５３の進入開始点を限界点として特定する。その後、Ｓ９へと移行する。
【００４８】
Ｓ９においてＣＰＵ４１は、前記Ｓ６又はＳ８で設定された限界点にユーザが到達するまでの所要時間Ｚを推定する。尚、所要時間Ｚの推定は、例えば移動予定経路に沿ったユーザの現在位置から限界点までの距離、リンクの平均旅行時間、交通情報、車両の現在車速等を考慮して行う。
【００４９】
次に、Ｓ１０においてＣＰＵ４１は、前記Ｓ３で取得した広告情報の再生時間Ｘと前記Ｓ４で算出した移動準備時間Ｙとの合計時間が、前記Ｓ９で推定した限界点までの所要時間Ｚ以下か否かを判定する、
【００５０】
そして、前記Ｓ３で取得した広告情報の再生時間Ｘと前記Ｓ４で算出した移動準備時間Ｙとの合計時間が、前記Ｓ９で推定した限界点までの所要時間Ｚ以下であると判定された場合（Ｓ１０：ＹＥＳ）、即ちユーザが限界点に到達するまでに、広告情報を出力することが可能で且つ出力された広告情報に基づいてユーザが広告対象地点への移動を開始することが可能であると判定された場合には、Ｓ１１へと移行する。それに対して、前記Ｓ３で取得した広告情報の再生時間Ｘと前記Ｓ４で算出した移動準備時間Ｙとの合計時間が、前記Ｓ９で推定した限界点までの所要時間Ｚより長いと判定された場合（Ｓ１０：ＮＯ）、即ちユーザが限界点に到達するまでに、広告情報を出力することができない、或いは出力された広告情報に基づいてユーザが広告対象地点への移動を開始することができないと判定された場合には、Ｓ１２へと移行する。
【００５１】
Ｓ１１においてＣＰＵ４１は、処理対象の広告情報は、仮に現時点から出力を行えば、広告情報を視聴したユーザが広告対象地点に立ち寄ることを決めた場合に、ユーザに大きな負担（例えばＵターンを行ったり、遠回りのルートを走行させる等）をかけることなく立ち寄ることが可能な広告対象地点を対象とした広告情報であると認定する。従って、処理対象の広告情報をユーザへの『提供対象』に設定する。
【００５２】
一方、Ｓ１２においてＣＰＵ４１は、処理対象の広告情報は、仮に現時点から出力を行ったとしても、広告情報を視聴したユーザが広告対象地点に立ち寄ることを決めた場合に、ユーザに大きな負担（例えばＵターンを行ったり、遠回りのルートを走行させる等）をかけなければ立ち寄ることができない広告対象地点を対象とした広告情報であると認定する。従って、処理対象の広告情報をユーザへの『非提供対象』に設定する。
【００５３】
そして、現時点で配信情報ＤＢ３２に格納されている全ての広告情報に対して上記Ｓ３〜Ｓ１１の処理を行い、各広告情報を『提供対象』或いは『非提供対象』のいずれかに設定する。尚、現時点で広告情報が『提供対象』或いは『非提供対象』のいずれかに設定されているかは、配信情報ＤＢ３２に格納された広告情報に紐付けて記憶する。また、広告情報提供処理プログラム（図４）は一定間隔（例えば２ｓｅｃ毎）で繰り返し実行されるので、車両の現在位置の変化に伴って広告情報が『提供対象（或いは非提供対象）』から『非提供対象（或いは提供対象）』へと切り替わる場合もある。
【００５４】
そして、ＣＰＵ４１は図９に示すように液晶ディスプレイ１５において現時点で『提供対象』に設定されている広告情報を出力する。具体的には、画面左側のリスト表示部６１に『提供対象』に設定されている広告情報の一覧（具体的には広告対象地点の名称の一覧）を表示する。そして、ユーザはリスト表示部６１に表示されている広告情報の一覧から視聴を希望する広告情報を選択すると、画面右側の広告表示領域６２において選択した広告情報に含まれる広告動画６３が再生される。
【００５５】
尚、リスト表示部６１には『非提供対象』に設定されている広告情報についても表示するようにしても良い。但し、その場合には『非提供対象』に設定されている広告情報についてはユーザにより選択できない、或いは選択したとしても広告表示領域６２において広告動画６３が再生されないようにするのが望ましい。
【００５６】
以上詳細に説明した通り、本実施形態に係るナビゲーション装置１及びナビゲーション装置１で実行されるコンピュータプログラムでは、ユーザの周辺にある広告対象地点の広告情報を取得し（Ｓ１）、ユーザの移動予定経路沿いに広告対象地点がある場合には、広告対象地点に面する道路から広告対象地点へ進入する際の進入開始地点を限界点として特定し（Ｓ６）、ユーザが限界点に到達するまでに広告情報を出力することが可能である場合に、ユーザに対して広告情報を出力する（Ｓ１１）ので、出力された広告情報を視聴したユーザが広告対象地点に立ち寄ることを決めた場合に、ユーザに大きな負担をかけることなく立ち寄ることが可能な広告対象地点を対象として広告情報を出力することが可能となる。その結果、ユーザに対してより効果的な広告情報の出力が可能となり、広告効果について向上させることが可能となる。
一方、ユーザの移動予定経路沿いに広告対象地点がない場合には、ユーザから広告対象地点までの推奨経路と移動予定経路が分岐する地点を限界点として特定し（Ｓ８）、ユーザが限界点に到達するまでに広告情報を出力することが可能である場合に、ユーザに対して広告情報を出力する（Ｓ１１）ので、出力された広告情報を視聴したユーザが広告対象地点に立ち寄ることを決めた場合に、ユーザに大きな負担をかけることなく立ち寄ることが可能な広告対象地点を対象として広告情報を出力することが可能となる。その結果、ユーザに対してより効果的な広告情報の出力が可能となり、広告効果について向上させることが可能となる。
【００５７】
尚、本発明は前記実施形態に限定されるものではなく、本発明の要旨を逸脱しない範囲内で種々の改良、変形が可能であることは勿論である。
例えば、本実施形態では、移動準備時間Ｙは上記（Ａ）〜（Ｃ）の合計時間としているが、例えば（Ａ）と（Ｂ）の合計時間としても良いし、（Ａ）と（Ｃ）或いは（Ｂ）と（Ｃ）の合計時間としても良い。（Ａ）〜（Ｃ）のいずれかの時間のみとしても良い。
【００５８】
また、本実施形態では、広告情報の出力として広告動画を再生しているが、広告情報の出力としては画像を表示したり音声を出力するようにしても良い。尚、画像を表示する場合の再生時間Ｘは例えば固定値（例えば５ｓｅｃ）とする。
【００５９】
また、本実施形態では、前記Ｓ１０において広告情報の再生時間Ｘと移動準備時間Ｙとの合計時間が、限界点までの所要時間Ｚ以下か否かを判定しているが、移動準備時間Ｙについては考慮せずに広告情報の再生時間Ｘが限界点までの所要時間Ｚ以下か否かを判定しても良い。
【００６０】
また、本発明はナビゲーション装置以外に、ユーザの走行案内を行う機能を有する装置に対して適用することが可能である。例えば、携帯電話機、スマートフォン、タブレット型端末、パーソナルコンピュータ等（以下、携帯端末等という）に適用することも可能である。また、サーバと携帯端末等から構成されるシステムに対しても適用することが可能となる。その場合には、上述した広告情報提供処理プログラム（図４）の各ステップは、サーバと携帯端末等のいずれが実施する構成としても良い。尚、サーバが全てを実施するように構成すればサーバが広告情報提供装置に相当する。
【００６１】
また、ナビゲーション装置以外に適用する場合には、ユーザが車で移動する以外の状況、例えば徒歩で移動する状況においても実施可能である。
【００６２】
また、本発明に係る広告情報提供装置を具体化した実施例について上記に説明したが、広告情報提供装置は以下の構成を有することも可能であり、その場合には以下の効果を奏する。
【００６３】
例えば、第１の構成は以下のとおりである。
広告対象地点（５２）の広告情報を取得する広告情報取得手段（４１）と、前記広告対象地点に面する道路から前記広告対象地点へ進入する際の進入開始地点を限界点として特定する第１限界点特定手段（４１）と、ユーザが前記限界点に到達するまでに前記広告情報を出力することが可能である場合に、ユーザに対して前記広告情報を出力する広告情報出力手段（４１）と、を有する。
上記構成を有する広告情報提供装置によれば、特に広告対象地点がユーザの移動予定経路沿いにある場合において、ユーザに大きな負担をかけることなく立ち寄ることが可能な広告対象地点を対象として広告情報を出力することが可能となる。その結果、ユーザに対してより効果的な広告情報の出力が可能となり、広告効果について向上させることが可能となる。
【００６４】
また、第２の構成は以下のとおりである。
広告対象地点（５２）の広告情報を取得する広告情報取得手段（４１）と、ユーザの移動予定経路を取得する移動予定経路取得手段（４１）を有し、ユーザから前記広告対象地点までの推奨経路（５５）と前記移動予定経路（５４）が分岐する地点を限界点として特定する第２限界点特定手段（４１）と、ユーザが前記限界点に到達するまでに前記広告情報を出力することが可能である場合に、ユーザに対して前記広告情報を出力する広告情報出力手段（４１）と、を有する。
上記構成を有する広告情報提供装置によれば、特に広告対象地点がユーザの移動予定経路沿いに無い場合において、ユーザに大きな負担をかけることなく立ち寄ることが可能な広告対象地点を対象として広告情報を出力することが可能となる。その結果、ユーザに対してより効果的な広告情報の出力が可能となり、広告効果について向上させることが可能となる。
【００６５】
また、第３の構成は以下のとおりである。
前記広告情報出力手段（４１）は、前記広告情報の再生時間を考慮して、ユーザが前記限界点に到達するまでに前記広告情報を出力することが可能か否かを判定する。
上記構成を有する広告情報提供装置によれば、広告情報の再生時間を考慮することによって、出力された広告情報を視聴したユーザが広告対象地点に立ち寄ることを決めた場合に、ユーザに大きな負担をかけることなく立ち寄ることが可能な広告対象地点であるか否かを正確に判定することが可能となる。
【００６６】
また、第４の構成は以下のとおりである。
前記広告情報の再生時間は、前記広告情報の過去の再生履歴に基づいて決定される。
上記構成を有する広告情報提供装置によれば、出力された広告情報を視聴したユーザが広告対象地点に立ち寄ることを決めるまでの時間をより正確に特定することが可能となる。
【００６７】
また、第５の構成は以下のとおりである。
前記広告情報出力手段（４１）は、ユーザが前記限界点に到達するまでに、前記広告情報を出力することが可能で且つ出力された前記広告情報に基づいてユーザが前記広告対象地点（５２）への移動を開始することが可能である場合に、ユーザに対して前記広告情報を出力する。
上記構成を有する広告情報提供装置によれば、出力された広告情報を視聴したユーザが広告対象地点に立ち寄ることを決めた後に移動を開始するまでの必要な時間についても考慮することによって、ユーザに大きな負担をかけることなく立ち寄ることが可能な広告対象地点か否かをより正確に判定することが可能となる。
【００６８】
また、第６の構成は以下のとおりである。
ユーザが前記広告対象地点（５２）へ移動を開始することを決定してからユーザが前記広告対象地点への移動を開始するまでに必要な時間である移動準備時間を取得する移動準備時間取得手段（４１）を有し、前記広告情報出力手段（４１）は、前記広告情報の再生時間と前記移動準備時間との合計時間が前記限界点までの所要時間以下である場合に、ユーザが前記限界点に到達するまでに、前記広告情報を出力することが可能で且つ出力された前記広告情報に基づいてユーザが前記広告対象地点への移動を開始することが可能であると判定する。
上記構成を有する広告情報提供装置によれば、広告情報の再生時間と出力された広告情報を視聴したユーザが広告対象地点に立ち寄ることを決めた後に移動を開始するまでの必要な時間との合計時間と限界点までの所要時間を比較することによって、ユーザに大きな負担をかけることなく立ち寄ることが可能な広告対象地点か否かをより正確に判定することが可能となる。
【００６９】
また、第７の構成は以下のとおりである。
目的地までの案内経路を取得する案内経路取得手段（４１）と、前記案内経路に従って移動体の移動案内を行う移動案内手段（４１）と、を有し、前記移動準備時間は、ユーザが経由地の追加又は目的地の設定操作を行うのに必要な時間と、変更操作に基づく新たな案内経路の探索に必要な時間と、を含む。
上記構成を有する広告情報提供装置によれば、出力された広告情報を視聴したユーザが広告対象地点を経由地或いは目的地へと設定し、新たな案内経路が探索されるまでの時間を考慮することによって、ユーザに大きな負担をかけることなく立ち寄ることが可能な広告対象地点か否かをより正確に判定することが可能となる。
【００７０】
また、第８の構成は以下のとおりである。
ユーザが車両に乗車する場合において、前記移動準備時間（４１）は、前記広告対象地点（５２）への移動を開始する為の車線変更に必要な時間を含む。
上記構成を有する広告情報提供装置によれば、出力された広告情報を視聴したユーザが広告対象地点へと移動する為に必要な車線変更を行う時間を考慮することによって、ユーザに大きな負担をかけることなく立ち寄ることが可能な広告対象地点か否かをより正確に判定することが可能となる。
【符号の説明】
【００７１】
１              ナビゲーション装置
２              広告情報提供システム
３              広告情報管理センタ
４              広告情報サーバ
５              ユーザ
７              広告情報ＤＢ
１３            ナビゲーションＥＣＵ
１５            液晶ディスプレイ
３１            地図情報ＤＢ
３２            配信情報ＤＢ
４１            ＣＰＵ
４２            ＲＡＭ
４３            ＲＯＭ
５１            車両
５２            広告対象地点
５３            交差点
５４            移動予定経路
５５            推奨経路
６３            広告動画
【図１】
2020165690.tif 000003
【図２】
2020165690.tif 000004
【図３】
2020165690.tif 000005
【図４】
2020165690.tif 000006
【図５】
2020165690.tif 000007
【図６】
2020165690.tif 000008
【図７】
2020165690.tif 000009
【図８】
2020165690.tif 000010
【図９】
2020165690.tif 000011